(57)【要約】  【課題】  水またはどんな液体をも全く使用せずに絨毯式カーマットを清掃する。【解決手段】  自動車車内にて使用を目的とした吸水性材質の絨毯式カーマットを水を全く使用しないで清掃する清掃機であり、機械内部に取り込み手段により絨毯式カーマットを取り込み、カーマットの表面の土・砂及び埃等の予備落し手段として羽付きローラー（１７）を使用、その後、繊維の奥に入り込んだ土・砂及び埃を風で吹き飛ばすために送風用ファン（１１）で作られた風を風の噴出口（９）から吹き出し、吸引手段（１２）（１３）を経て集塵ボックスへ集める方式の絨毯式カーマット清掃機。【選択図】  図４
2008136957.tif 000002
【特許請求の範囲】
【請求項１】
自動車車内にて使用を目的とした吸水性材質の絨毯式カーマットを水または
その他どんな液体をも全く使用しないで清掃する清掃機であり、機械内部に取り
込み手段により絨毯式カーマットを取り込み、カーマットの表面の土・砂及び埃
等の予備落し手段として羽付きローラー（１７）を使用、その後、繊維の奥に入
り込んだ土・砂及び埃を風で吹き飛ばすために送風用ファン（１１）で作られた
風を風の噴出口（９）から吹き出し、吸引手段（１２）（１３）を経て集塵ボッ
クス（１４）へ集める方式の絨毯式カーマット清掃機。
【請求項２】
請求項１の機械内部への取り込み手段（１５）（１６）（１９）（２０）（２
１）（２２）としては、図４の様にベルトコンベアー方式を用いるか若しくはロ
ーラーコンベアー方式の絨毯式カーマット清掃機。この時、（１９）の下部ロー
ラーコンベアーは上下可動式となる。
【請求項３】
請求項１での土・砂及び埃等の予備落し手段（１７）では棒状ローラーの芯を
中心に平行に放射線状の板、若しくはパイプラインを複数突起させたものを円周
に添って取り付けたものを使用した絨毯式カーマット清掃機。
【請求項４】
請求項１の土・砂及び埃等を飛ばす手段としては、図４では駆動モーター（１
０）で羽根状の物、又はプロペラ状の物を回転させる事によって風を起こす方式
の送風用ファン（１１）を回して風を起こし、風の噴出口（９）より風を噴射さ
せ絨毯式カーマット上の土・砂及び埃等を飛ばす絨毯式カーマット清掃機。
【発明の詳細な説明】
【技術分野】
【０００１】
本発明は、吸水性材質の絨毯式マットを水またはその他どんな液体をも全く使用することなく清掃する為のマット清掃機に関する。
【背景技術】
【０００２】
従来のカーマットの専用清掃機は水を使用し、カーマットに水を噴射致し洗浄用のブラシでカーマットの表面を擦りカーマットに付着した土・砂・埃等を取り除き、２本のスッポンジ式ローラーを上下に平行に密着させた間を通過させることでその濡れたカーマットの水分を減らす方式。
【特許文献１】特開２００１−４６９９０号  公報
【非特許文献１】「マット洗浄機  総合カタログ」，アベテック株式会社，  Ｐ．１１
【発明の開示】
【発明が解決しようとする課題】
【０００３】
従来機は、カーマットを洗浄後水分を充分に取り除く事が出来ない為に、ビニール製品及びゴム製品等そのカーマットの材質が吸水しないものでしか使用において不適当であり、布製品等のように吸水性の素材を使用した水分を含み易い材質のカーマットをこの方式で洗浄するとその素材内部に水分を多く残した状態で洗浄機より排出することとなり、そのまますぐに車内に入れて使用すると車内に湿気が多くなったり着衣の裾が濡れる事になる。また、そのカーマットが乾く迄にまた土や埃等も付着を早める事となる。従って洗浄後乾燥させる為の多くの時間が必要とされていた。
【課題を解決するための手段】
【０００４】
課題を解決するに最も有効な方法は、自動車車内にて使用を目的とした吸水性材質の絨毯式カーマットを水またはその他どんな液体をも全く使用しないで清掃する清掃機であり、機械内部に取り込み手段により絨毯式カーマットを取り込み、カーマットの表面の土・砂及び埃等の予備落し手段として羽付きローラー（１７）を使用、その後、繊維の奥に入り込んだ土・砂及び埃を風で吹き飛ばすために送風用ファン（１１）で作られた風を風の噴出口（９）から吹き出し、吸引手段（１２）（１３）を経て集塵ボックスへ集める方式の絨毯式カーマット清掃機。
【発明の効果】
【０００５】
本発明は、吸水性材質の絨毯式カーマットを清掃後カーマットを乾燥させる必要も無く、清掃直後にそのマットを車内に入れ使用しても着衣を濡らす事もなく、またマットの湿気で車内を曇らせる事も無く快適に乗車出来ます。
【発明を実施するための最良の形態】
【０００６】
以下、本発明の実施の形態を図１〜図６に基づいて説明する。
【実施例１】
【０００７】
図４は本発明装置の実施例の側面図で、（１）は絨毯式マットをマット清掃機内に入れる入口で、マットの絨毯繊維部分を下向きに入れる。その後ローラー（１５）と（１６）で挟まれた状態で引き込まれ、羽付ローラー（１７）でマットの繊維を起こすと共に表面の土・砂・埃等を掻き落とし、次に（９）からの風を吹き付けて、（１９）（２６）で運び（２）から排出し、（３）で受ける。
【実施例２】
【０００８】
駆動モーター（１８）によりローラー（２０）（２１）（１５）とコンベアーを回す為のローラーを回転させ、マットを随時送り出す。
【実施例３】
【０００９】
（１５）（１９）（２０）（２１）（２２）（２４）（２６）の一連の装置はマットを搬送する動きと共に、マットの厚みを自動的に調整する為に（１６）（２４）それぞれが移動する。
【実施例４】
【００１０】
ファン（１１）で起こされた強力な風は、（２７）を通過して（９）から吹き出し、  空気の吸引は（１３）を通して（１２）を経由して（３０）から行われる。
【実施例５】
【００１１】
絨毯式マットの繊維は毛足が長い物、短い物と様々な物が有るため、羽付ローラー（１７）で毛先をかき起こし、土・砂・埃等を落とし易い状態にし、（９）から出る強力な風を繊維の奥まで吹き付けて、外にはじき出す。はじき出された
土・砂等重い物は、遮へい用パネル（２３）からダストボックス（１４）に落下し集塵され、軽い埃等は防塵用フィルター（１３）からの空気の吸引により下部へ集められダストボックス（１４）に集積されていく。
【図面の簡単な説明】
【００１２】
【図１】本件を斜視図で示した外観図
【図２】１図の内部構造を示した図
【図３】本件の内部構造を示した正面図
【図４】本件の内部構造を示した側面図
【図５】本件の内部構造を示した平面図
【図６】本考案の中心に当たる部分の背面
【符号の説明】
【００１３】
１    絨毯式カーマット挿入口
２    絨毯式カーマットの排出口
３    排出されたカーマットの受け場所
４    受けたカーマットの落下防止枠
５    機械内部のゴミ集積容器の出し入れ口の扉
６    ５番の取っ手
７    機械本体の移動用キャスター
８    仮想の絨毯式カーマット
９    風の噴出口  
１０  ファンを回転させる為の駆動モーター
１１  送風用ファン
１２  空気吸入及び土・砂・埃等を下部に集める吸引用ダクトホース
１３  防塵用フィルター
１４  ダストボックス
１５  ベルトコンベアー方式の為の入り口側上部送りローラー
１６  上下可動式下部送りローラー
１７  絨毯式カーマットの表面繊維を起こす羽付ローラー
１８  １５番等のローラー類を回転させる為の駆動モーター
１９  下部ローラーコンベアー
２０  駆動モーターからの駆動伝達一番目のローラー
２１  ベルトコンベアーの胸腺部分のコントロール用ローラー
２２  平面部分の稼動用及び曲線部分の形成を行う為のローラー
２３  遮へい用パネル
２４  曲線部経路導線用可動式パネル
２５  ベルトコンベアーの曲線部形状固定用パネル
２６  カーマットを清掃機に導き排出させる為のベルト式コンベアー
２７  ファンにより起こされた風を９番へ送り込む為のダクトホース
２８  風の排出口
３９  風を９番へ送るための吸入口
３０  ファンの空気の吸入口
３１  １３番を固定する為のアーム
【図１】
2008136957.tif 000003
【図２】
2008136957.tif 000004
【図３】
2008136957.tif 000005
【図４】
2008136957.tif 000006
【図５】
2008136957.tif 000007
【図６】
2008136957.tif 000008